(57)【特許請求の範囲】
【請求項１】
水平方向に並ぶ三本の電子ビームを発射するインライン型電子銃であって、第１の平板電極が設けられた筒状の低電位側電極と、第２の平板電極が設けられた筒状の高電位側電極とが、電子ビームの進行方向に沿って順に配置されて主静電レンズを形成する構成を少なくとも有し、
前記第１の平板電極及び前記第２の平板電極は、中央の電子ビームを通過させる中央通過孔と、前記中央の電子ビームの外側の二本の電子ビームをそれぞれ通過させる二つの外側通過孔とを有し、
各外側通過孔を垂直方向に縦断する中心線をＹ軸、前記Ｙ軸に垂直な線をＸ軸とし、各外側通過孔の中心をＸ＝０、Ｙ＝０としたときに、前記第１の平板電極および前記第２の平板電極がそれぞれ有する前記二つの外側通過孔の開口形状は、Ｘn＋Ｙn＝Ｒnで表される曲線（ｎは次数である。Ｒは当該曲線とＹ座標の交点である。）からなり、
前記第１の平板電極又は前記第２の平板電極のうち少なくともどちらか一方の平板電極において、外側通過孔の前記曲線は当該外側通過孔のＹ軸を境として次数ｎが異なり、同一平板電極における一方の外側通過孔の開口形状と他方の外側通過孔の開口形状とは、中央通過孔を垂直方向に縦断する中心直線を軸として互いに線対称であり、
前記第１の平板電極に設けられた外側通過孔を垂直方向に縦断する中心線に対して中央通過孔側に位置する内側の前記曲線と外側に位置する外側の前記曲線とのうち少なくとも一方は、前記第２の平板電極に設けられた前記外側通過孔を垂直方向に縦断する中心線に対して中央通過孔側に位置する内側の前記曲線と外側に位置する外側の前記曲線とのうち、同側に位置する前記曲線と次数が異なっていることを特徴とするインライン型電子銃。
【請求項２】
前記内側の曲線の次数が、前記第１の平板電極に設けられた外側通過孔と前記第２の平板電極に設けられた外側通過孔とで異なっている請求項１記載のインライン型電子銃。
【請求項３】
前記外側の曲線の次数が、前記第１の平板電極に設けられた外側通過孔と前記第２の平板電極に設けられた外側通過孔とで同じであって、共に２である請求項２記載のインライン型電子銃。
【請求項４】
請求項１〜請求項３のいずれかに記載のインライン型電子銃を少なくとも含むことを特徴とするカラー陰極線管。
【発明の詳細な説明】
【０００１】
【発明の属する技術分野】
本発明は、インライン型電子銃及びそれを用いたカラー陰極線管、特に、インライン型電子銃の主静電レンズを構成する筒状電極及び有孔平板電極に関する。
【０００２】
【従来の技術】
従来のインライン型電子銃において、主静電レンズは、例えば特開平４−１３３２４７号公報に開示されているように、開口断面が略楕円形の３つの電子ビームを囲む共通開口を有する筒状の外側電極と、その外側電極の内部に設けられ、３本の電子ビームをそれぞれ通過させるための３つの通過孔を有する平板電極とからなるＧ３電極、及び同形状のＧ４電極で構成されている。
【０００３】
次に上記開示による従来のインライン型電子銃のＧ３電極及びＧ４電極について図４を用いて説明する。図４（ａ）は従来のインライン型電子銃のＧ３電極及びＧ４電極の断面図であり、図４（ｂ）は図４（ａ）中の矢印Ａの方向からみたＧ３電極の正面図であり、図４（ｃ）は図４(ｂ)に示す平板電極の一部を示す拡大図である。
【０００４】
図４（ａ）において、４１は開口断面が略楕円形をなす筒状電極、４２は同じく開口断面が略楕円形をなす筒状電極であり、４３は筒状電極４１の内部に設けられた平板電極、４４は同じく筒状電極４２の内部に設けられた平板電極である。これら筒状電極４１と平板電極４３とでＧ３電極４１０が構成され、筒状電極４２と平板電極４４とでＧ４電極４２０が構成されている。また、４５〜４７は平板電極４３に設けられた通過孔、５０〜５２は平板電極４４に設けられた通過孔であり、これらの通過孔を三本の電子ビームが通過する。
【０００５】
この各平板電極に設けられた三個の通過孔は、図４（ｂ）に示すように、インライン方向（以下、「水平方向」ともいう。）に配列されている。図４（ｂ）では、平板電極４３に設けられた通過孔４５、４６及び４７が示されており、これらはインライン方向に直交する方向（以下、「垂直方向」という。）に長い長円形状をなしている。通過孔４６の開口形状と通過孔４７の開口形状とは、通過孔４５を垂直方向に縦断する中心線に対して線対称である。なお、平板電極４４に設けられた通過孔５０は通過孔４５と同形状に、通過孔５１は通過孔４６と同形状に、通過孔５２は通過孔４７と同形状に形成されている。
【０００６】
また、図４（ｃ）に示すように、平板電極４３に設けられた三つの通過孔のうち中央に位置する通過孔４５は、垂直方向に長径を有する楕円形状に形成されている。一方、図４（ｃ）に示すように、外側に位置する通過孔４７（図４（ｃ）では通過孔４７のみを示す。）は、外側半分４９が半円形状で形成され、内側半分４８が２を越え３以下の次数ｎをもつ高次の曲線形状で形成されている。
【０００７】
このように、インライン型電子銃の主静電レンズを構成するＧ３電極４１０及びＧ４電極４２０は、図４で示したように開口形状が水平方向に長軸を有する略楕円形を呈した外側の筒状電極４１及び４２と、その筒状電極４１及び４２に内蔵され、且つ、その各開口部から後退した位置に配置された、３つの通過孔を有する平板電極４３及び４４とからなる。
【０００８】
このため、中央の通過孔４５及び５０を通過する電子ビームは、通過孔４５及び５０が形成する独立した電界と、筒状電極４１及び４２の外周の直線部が形成する重畳電界との作用を受ける。一方、両外側の通過孔４６及び５１又は４７及び５２を通過する電子ビームは、通過孔４６と５１とが形成する独立した電界、又は通過孔４７と５２とが形成する独立した電界と、筒状電極４１及び筒状電極４２の外周の曲線部が形成する重畳電界との作用を受ける。
【０００９】
従来のインライン型電子銃においては、平板電極４３及び４４の両外側の通過孔４６及び４７並びに５１及び５２における、中央の通過孔４５及び５０側の高次曲線（例えば、図４（ｃ）における「４８」である。）の次数ｎを適当に選択することによって、３本の電子ビームの集束（スタティックコンバーゼンス）作用を最適なものとすることができ、最終的にスクリーン面に到達する電子ビームを真円に近いものとしている。
【００１０】
【発明が解決しようとする課題】
ところで、陰極線管を大きく、あるいは小さくなるようサイズ変更し、且つ、上記従来のインライン型電子銃を設計変更しないならば、その陰極線管は管軸方向に大きく、あるいは小さくなるため、スクリーン面上における３本の電子ビームのスタティックコンバーゼンス特性が悪化してしまうという問題があった。
【００１１】
陰極線管のサイズ変更が少ないならば、このスタティックコンバーゼンス特性の悪化は、陰極線管の外部に設置された磁石等を用いて改善することが可能である。
【００１２】
しかし、この磁石等の能力以上にスタティックコンバーゼンス特性が悪化した場合は、スクリーン面上でのスタティックコンバーゼンス特性を優先し、電子銃の部品や印加電圧等の設計を変更しなければならなかった。
【００１３】
具体的にスタティックコンバーゼンス特性を維持するためには、Ｇ３電極やＧ４電極の平板電極に設けられた通過孔の開口形状を大幅に変更しなければならなかったり、Ｇ３電極の印加電圧を変更しなければならなかった。また、Ｇ３電極の印加電圧の変更には、印加電圧が絶縁破壊を引き起こしかねないほど非常に高くなったり、印加電圧を電源の関係上変えられなかったりと制約が多く、この場合は、Ｇ１電極の小孔のピッチを変更する必要があった。
【００１４】
また、このようにＧ３電極及びＧ４電極の平板電極の通過孔やＧ１電極の小孔のピッチを大幅に変更すると、変更前に用いていた電子銃の組み立て治具等は利用できなくなるため、新たに組み立て治具等を作製する必要があり、電子銃の組み立てのコストが高くなってしまうという問題があった。
【００１５】
本発明の目的は、上記問題点を解消し、陰極線管のサイズ変更に伴って発生する電子銃の組み立て治具等の作製コストを低減でき、良好なスタティックコンバーゼンス特性を有するインライン型電子銃及びそれを備えたカラー陰極線管を提供することにある。
【００１６】
【課題を解決するための手段】
上記目的を達成するために本発明にかかるインライン型電子銃は、水平方向に並ぶ三本の電子ビームを発射するインライン型電子銃であって、第１の平板電極が設けられた筒状の低電位側電極と、第２の平板電極が設けられた筒状の高電位側電極とが、電子ビームの進行方向に沿って順に配置されて主静電レンズを形成する構成を少なくとも有し、第１の平板電極及び第２の平板電極は、中央の電子ビームを通過させる中央通過孔と、中央の電子ビームの外側の二本の電子ビームをそれぞれ通過させる二つの外側通過孔とを有し、各外側通過孔を垂直方向に縦断する中心線をＹ軸、Ｙ軸に垂直な線をＸ軸とし、各外側通過孔の中心をＸ＝０、Ｙ＝０としたときに、第１の平板電極および第２の平板電極がそれぞれ有する二つの外側通過孔の開口形状は、Ｘn＋Ｙn＝Ｒnで表される曲線（ｎは次数である。Ｒは当該曲線とＹ座標の交点である。）からなり、第１の平板電極又は第２の平板電極のうち少なくともどちらか一方の平板電極において、外側通過孔の曲線は当該外側通過孔のＹ軸を境として次数ｎが異なり、同一平板電極における一方の外側通過孔の開口形状と他方の外側通過孔の開口形状とは、中央通過孔を垂直方向に縦断する中心直線を軸として互いに線対称であり、第１の平板電極に設けられた外側通過孔を垂直方向に縦断する中心線に対して中央通過孔側に位置する内側の曲線と外側に位置する外側の曲線とのうち少なくとも一方は、第２の平板電極に設けられた外側通過孔を垂直方向に縦断する中心線に対して中央通過孔側に位置する内側の曲線と外側に位置する外側の曲線とのうち、同側に位置する曲線と次数が異なっていることを特徴とする。
【００１７】
上記本発明にかかるインライン型電子銃においては、内側の曲線の次数が、第１の平板電極に設けられた外側通過孔と第２の平板電極に設けられた外側通過孔とで異なっているのが好ましい態様である。またこの場合、外側の曲線の次数が、第１の平板電極に設けられた外側通過孔と第２の平板電極に設けられた外側通過孔とで同じであって、共に２であるのが更に好ましい態様である。
【００１８】
次に、上記目的を達成するために本発明にかかるカラー陰極線管は、上記本発明にかかるインライン型電子銃を少なくとも含むことを特徴とする。
【００１９】
上述のように、本発明にかかるインライン型電子銃においては、低電位側電極（Ｇ３電極）の第１の平板電極に設けられた三つの通過孔のうち外側通過孔における外側又は内側の開口形状の曲線の次数が、高電位側電極（Ｇ４電極）の第２の平板電極に設けられた三つの通過孔のうち第１の平板電極と同じ側の外側通過孔における外側又は内側の開口形状の曲線の次数と異なるように設定されており、これにより３個の電界レンズが形成されている。
【００２０】
本発明にかかるインライン型電子銃によれば、この各電界レンズの中心位置を任意に水平方向に移動させることで、スタティックコンバーゼンス特性を良好なものとすることができる。この電界レンズの中心位置を任意に水平方向に移動させることができる点について、第１、第２の平板電極の外側通過孔とＧ１電極の小孔のピッチとの関係から、以下の（１）〜（４）の具体例に基づいて説明する。
【００２１】
なお、電子ビームを通過させるための通過孔が作る電界レンズは、電子ビームに対し、低電位側では集束作用を及ぼし、高電位側では発散作用を及ぼすことが知られている。このことから、電界レンズを考えるにおいて、光学的モデルが多くの場合用いられる。光学的モデルにおいては、低電位側の電界レンズの集束作用は凸レンズで表され、高電位側の電界レンズの発散作用は凹レンズで表される。また、本明細書において、外側通過孔の開口形状を形成する二つの曲線のうち、外側通過孔を垂直方向に縦断する中心線に対して中央通過孔側に位置する曲線を「内側曲線」とし、その中心線に対して中央通過孔とは反対側に位置する曲線を「外側曲線」とする。
【００２２】
（１）第１の平板電極に設けられた外側通過孔の内側曲線の次数を２未満とすると、かかる外側通過孔の内側の開口面積は小さくなる。そのため、かかる外側通過孔による内側の集束作用が強くなり、凸レンズの実質的中心位置は水平方向外側に移動する。その結果、良好なスタティックコンバーゼンス特性を得るのに必要なＧ１電極の小孔のピッチは大きくなる。
【００２３】
（２）第１の平板電極に設けられた外側通過孔の外側曲線の次数を２未満とすると、かかる外側通過孔の外側の開口面積が小さくなる。そのため、かかる外側通過孔による外側の集束作用が強くなり、凸レンズの実質的中心位置は水平方向内側に移動する。その結果、良好なスタティックコンバーゼンス特性を得るのに必要なＧ１電極の小孔のピッチは小さくなる。
【００２４】
（３）第２の平板電極に設けられた外側通過孔の内側曲線の次数を２未満とすると、かかる外側通過孔の内側の開口面積が小さくなる。そのため、かかる外側通過孔による内側の発散作用が強くなり、凹レンズの実質的中心位置は水平方向外側に移動する。その結果、良好なスタティックコンバーゼンス特性を得るのに必要なＧ１電極の小孔のピッチは小さくなる。
【００２５】
（４）第２の平板電極に設けられた外側通過孔の外側曲線の次数を２未満とすると、かかる外側通過孔の外側の開口面積が小さくなる。そのため、かかる外側通過孔による外側の発散作用が強くなり、凹レンズの実質的中心位置は水平方向内側に移動する。その結果、良好なスタティックコンバーゼンス特性を得るのに必要なＧ１電極の小孔のピッチは大きくなる。
【００２６】
なお、上記（１）〜（４）において、曲線の次数を２より大きくすると、上記集束作用又は発散作用は弱くなるため、良好なスタティックコンバーゼンスを得るのに必要なＧ１電極の小孔ピッチの変化は上記（１）〜（４）の結果と逆の結果となる。
【００２７】
上記（１）〜（４）に示した作用を適宜用いることによって、陰極線管のサイズ変更に伴うＧ１電極の小孔のピッチの大小を、第１、第２の平板電極の外側通過孔の開口形状を変更することにより調整できる。これにより、Ｇ１電極の小孔のピッチを変更することなく、良好なスタティックコンバーゼンス特性を得ることができる。
【００２８】
例えば、陰極線管のサイズを大きく変更した場合、電子銃とスクリーン面との距離は大きくなるので、両外側の電子ビームはスクリーン面の手前で交錯することになる。このとき、スタティックコンバーゼンス特性を良好にすることを優先し、スタティックコンバーゼンス特性がスクリーン面上で最良に、即ち、３本の電子ビームがスクリーン面上で交錯するようにすると、Ｇ１電極における外側電子ビームは、外側小孔よりも内側に位置するようになる。従って、小孔のピッチを小さくしなければならないことになる。
【００２９】
このとき、小孔のピッチを変更することなく良好なスタティックコンバーゼンス特性を得るためには上記（２）又は（３）を適用すれば良い。これにより、小孔のピッチを小さくすることができ、陰極線管のサイズ変更によるスタティックコンバーゼンス特性の悪化を抑制できる。
【００３０】
なお、本明細書でいう「水平方向」とは、本実施の形態にかかるカラー陰極線管の管軸に垂直なスクリーン面に向かって水平な方向をいい、「垂直方向」とは本実施の形態にかかるカラー陰極線管のスクリーン面に向かって垂直な方向であって、水平方向に垂直な方向をいう。
【００３１】
【発明の実施の形態】
以下、本発明の実施の形態にかかるインライン型電子銃について、図１〜図３を参照しながら説明する。
【００３２】
図１は本実施の形態にかかるインライン型電子銃の一部を示す断面構成図である。本実施の形態にかかるインライン型電子銃は、水平方向に並ぶ陰極（図示せず）から射出した３本の電子ビーム１ａ、１ｂ及び１ｃを電界レンズにより規制するものである。図１には、本実施の形態にかかるインライン型電子銃の一部である低電位側電極（Ｇ３電極）２１０及び高電位側電極（Ｇ４電極）２２０が示されている。
【００３３】
低電位側電極２１０と高電位側電極２２０とは電子ビーム１ａ、１ｂ及び１ｃの進行方向に沿って順に配置されており、低電位側電極２１０は筒状の電極２１の内部に第１の平板電極２３が設けられた構成のものであり、高電位側電極２２０は筒状の電極２２の内部に第２の平板電極２４が設けられた構成のものである。
【００３４】
また、第１の平板電極２３には中央の電子ビーム１ａを通過させる中央通過孔２５と、中央の電子ビーム１ａの外側の電子ビーム１ｂ及び１ｃをそれぞれ通過させる外側通過孔２６及び２７とが設けられている。同様に、第２の平板電極２４にも、中央通過孔２８と、外側通過孔２９及び３０とが設けられている。このため、本実施の形態においては、第１の平板電極２３に設けられた３個の通過孔２５、２６及び２７と、第２の平板電極２４に設けられた３個の通過孔２８、２９及び３０により３個の電界レンズが形成されている。
【００３５】
第１の平板電極２３と第２の平板電極２４は、Ｇ３電極２１０及びＧ４電極２２０の開口端部より後退した位置に配置されている。なお、図示していないが、Ｇ３電極２１０及びＧ４電極２２０の他に、Ｇ１電極、Ｇ２電極及び陰極等でインライン型電子銃を構成し、このインライン型電子銃をガラスバルブに挿入することにより、カラー陰極線管を得ることができる。
【００３６】
次に図２を用いて通過孔２５〜３０について説明する。図２（ａ）は図１に示す低電位側電極（Ｇ３電極）２１０を矢印Ａの方向から見た図であり、図２（ｂ）は図１に示す高電位側電極（Ｇ４電極）２２０を矢印Ｂの方向から見た図である。
【００３７】
図２（ａ）及び（ｂ）に示すように、第１の平板電極２３及び第２の平板電極２４の外形は、長径が水平方向を向いた略楕円形状を呈している。このため、Ｇ３電極２１０及びＧ４電極２２０の開口断面形状も、長径が水平方向を向いた略楕円形状を呈している。Ｇ３電極２１０には５ｋＶ〜１０ｋＶ程度の低電圧が印加され、Ｇ４電極２２０には２０ｋＶ〜３５ｋＶ程度の高電圧が印加される。
【００３８】
また、図２（ａ）に示すように、第１の平板電極２３に設けられた中央通過孔２５の開口形状は垂直方向に長径を有する楕円で形成されている。一方、第１の平板電極２３に設けられた外側通過孔２６及び２７の開口形状は、二つの高次曲線を結合して形成されている。この二つの高次曲線は、各外側通過孔を垂直方向に縦断する中心線（以下、「外側中心線」という。）３ａ及び３ｂを境として次数が異なっている（後述する図３を参照）。また、外側通過孔２６の開口形状と外側通過孔２７の開口形状とは、中央通過孔２５を垂直方向に縦断する中心線（以下、「中央中心線」という。）２ａを軸として線対象となっている。
【００３９】
更に、図２（ｂ）に示すように、第２の平板電極２４に設けられた中央通過孔２８の開口形状も中央通過孔２５と同様の楕円で形成されている。第２の平板電極２４に設けられた外側通過孔２９及び３０の開口形状も、外側通過孔２６及び２７と同様に、二つの高次曲線を結合して形成されている。この二つの高次曲線も、外側中心線３ｃ及び３ｄを境として次数が異なっている（後述する図３を参照）。また、第１の平板電極２３と同様に、外側通過孔２９の開口形状と外側通過孔３０の開口形状も、中央中心線２ｂを軸として線対象となっている。
【００４０】
次に、図３を用いて外側通過孔２６、２７、２９及び３０の開口形状を形成する高次曲線について説明する。図３（ａ）は図２（ａ）に示す第１の平板電極の一部を示す拡大図であり、図３（ｂ）は図２（ｂ）に示す第２の平板電極の一部を示す拡大図である。
【００４１】
図３（ａ）に示すように、第１の平板電極２３の外側通過孔２６の開口形状を形成する高次曲線は、外側中心線３ｂに対して中央通過孔２５側に位置する高次曲線（以下、「内側曲線」という。）３１と反対側である外側中心線３ｂに対して外側に位置する高次曲線（以下、「外側曲線」という。）３２とである。同様に、図３（ｂ）に示すように、第２の平板電極２４の外側通過孔３０の開口形状を形成する高次曲線は、内側曲線３３と外側曲線３４とである。これらの高次曲線は、図３（ａ）及び（ｂ）に示すようにｘｙ座標を設定すると、下記（数１）で表される。なお、ｎは次数であり、図２で説明したように外側曲線と内側曲線とで異なる値となる。また、Ｒは外側曲線と内側曲線とが交わる点におけるｙ座標である。
【００４２】
［数１］
Ｘn＋Ｙn＝Ｒn
また、図３（ａ）及び（ｂ）に示すように、第１の平板電極２３における内側曲線３１の次数ｎは、第２の平板電極２４における内側曲線３３の次数ｎと異なっている。一方、第１の平板電極２３における外側曲線３２は、第２の平板電極２４における外側曲線３４とは次数ｎが同じであり、共に次数ｎは２である。なお、図３（ａ）及び（ｂ）の例では、内側曲線３１の次数ｎは２未満（ｎ＜２）に設定されており、内側曲線３３の次数ｎは２より大きく（ｎ＞２）設定されている。
【００４３】
ここで、インライン型電子銃の主静電レンズのスタティックコンバーゼンス特性と通過孔の開口形状を形成する曲線の次数ｎとの関係について説明する。表１は、各平板電極の外側通過孔の開口形状を形成する曲線の次数を２．０から０．１小さくしたときにおける、良好なスタティックコンバーゼンス特性を得るのに必要なＧ１電極の小孔のピッチの変化量△Ｓｋを示している。なお、変化量△Ｓｋの算出は３次元電界軌道計算法を用いて行っており、変化量△ＳｋはＧ１電極の小孔のピッチが大きくなる場合を正、該ピッチが小さくなる場合を負としている。なお、平板電極の外側通過孔の開口形状を形成する曲線のうち、変化させない他の曲線の次数は２．０である。
【００４４】
表１において、ｎｓ１はＧ３電極を構成する第１の平板電極における外側通過孔の内側曲線の次数を０．１小さくした場合であり、ｎｓ２はＧ３電極を構成する第１の平板電極における外側通過孔の外側曲線の次数を０．１小さくした場合である。ｍｓ１はＧ４電極を構成する第２の平板電極における外側通過孔の内側曲線の次数を０．１小さくした場合であり、ｍｓ２はＧ４電極を構成する第２の平板電極における外側通過孔の外側曲線の次数を０．１小さくした場合である。
【表１】
0004209603.tif 000002
次に、両外側の電子ビームがＧ３電極及びＧ４電極で構成される主静電レンズを通過してからスクリーン面上に到達するまでの間に交錯する（主静電レンズの集中特性が強い）ことによってスタティックコンバーゼンス特性が悪化している場合を考える。この場合、スタティックコンバーゼンス特性を良好にすることを優先し、スタティックコンバーセンス特性がスクリーン面上で交錯するようにすると、Ｇ１電極の小孔のピッチは小さくしなければならない。
【００４５】
ここで、表１の結果より、第１の平板電極の外側通過孔の内側曲線の次数ｎを２．０より小さくする（ｎｓ１に相当）、又は第１の平板電極の外側通過孔の外側曲線の次数ｎを２．０より大きくする（ｎｓ２の逆に相当）ことによって、△Ｓｋを増加できる。また、第２の平板電極の外側通過孔の内側曲線の次数ｎを２．０より大きくする（ｍｓ１の逆に相当）、又は第２の平板電極の外側通過孔の外側曲線の次数ｎを２．０より小さくする（ｍｓ２に相当）ことによっても△Ｓｋを増加できる。
【００４６】
よって、このような次数ｎの設定により、良好なスタティックコンバーゼンス特性を得るＧ１電極の小孔のピッチを拡大できるので、結果的にかかるピッチを変更することなくスタティックコンバーゼンス特性の悪化を抑制できる。
【００４７】
また、変化量△Ｓｋの感度は外側通過孔の外側曲線より内側曲線による影響が大きいことを考慮すると、外側通過孔の外側曲線は従来同様に円（次数ｎ＝２）であることが好ましい。なお、外側通過孔の内側曲線の次数ｎを第１の平板電極では２．０より小さくし、第２の平板電極では２．０より大きくするのが好ましい。
【００４８】
次に、両外側の電子ビームが主静電レンズを通過してからスクリーン面上に到達するまでの間に交錯しない（主静電レンズの集中特性が弱い）ことによってスタティックコンバーゼンス特性が悪化している場合を考える。この場合、スタティックコンバーゼンス特性を良好にすることを優先し、スタティックコンバーゼンス特性がスクリーン面上で交錯するようにすると、Ｇ１電極の小孔のピッチは、大きくしなければならない。
【００４９】
ここで、表１の結果より、第１の平板電極の外側通過孔の内側曲線の次数ｎを２．０より大きくする（ｎｓ１の逆に相当）、又は第１の平板電極の外側通過孔の外側曲線の次数ｎを２．０より小さくする（ｎｓ２に相当）ことによって、△Ｓｋを減少できる。また、第２の平板電極の外側通過孔の内側曲線の次数ｎを２．０より小さくする（ｍｓ１に相当）、又は第２の平板電極の外側通過孔の外側曲線の次数ｎを２．０より大きくする（ｍｓ２の逆に相当）ことによっても△Ｓｋを減少できる。
【００５０】
よって、このような次数ｎの設定により、良好なスタティックコンバーゼンス特性を得るＧ１電極の小孔のピッチを縮小できるので、結果的にかかるピッチを変更することなくスタティックコンバーゼンス特性の悪化を抑制できる。
【００５１】
また、変化量△Ｓｋの感度は外側通過孔の外側曲線より内側曲線による影響が大きいことを考慮すると、外側通過孔の外側曲線は従来同様に円（次数ｎ＝２）であることが好ましい。なお、外側通過孔の内側曲線の次数ｎを第１の平板電極では２．０より大きくし、第２の平板電極では２．０より小さくするのが好ましい。
【００５２】
但し、特開平４−１３３２４７号公報に開示されているように、外側通過孔の外側又は内側曲線の次数ｎが２．０５から２．２５のとき、スポット形状を略円形にすることができる。そのため、外側通過孔の内側又は外側曲線の次数ｎは、１．７以上２．３以下に設定するのが好ましいといえ、この場合は、スポット形状の歪みを抑制でき、良好なスタティックコンバーゼンス特性を得ることができる。
【００５３】
【発明の効果】
以上のように本発明にかかるインライン型電子銃を用いれば、Ｇ１電極の小孔のピッチを変更することなく、スタティックコンバーゼンス特性の悪化を抑制することができる。そのため、陰極線管のサイズの変更に伴って発生する電子銃の組み立て治具等の作製コストの低減を図ることができる。さらに、本発明のインライン型電子銃において、外側通過孔の外側曲線の次数を第１の平板電極と第２の平板電極とで同一の値に設定し、内側曲線の次数を第１の平板電極と第２の平板電極とで異なる値に設定すれば、電子銃の組み立て治具等の作製コストをよりいっそう低減することができる。
【図面の簡単な説明】
【図１】本実施の形態にかかるインライン型電子銃の一部を示す断面構成図である。
【図２】図２（ａ）は図１に示す低電位側電極（Ｇ３電極）を矢印Ａの方向から見た図であり、図２（ｂ）は図１に示す高電位側電極（Ｇ４電極）を矢印Ｂの方向から見た図である。
【図３】図３（ａ）は図２（ａ）に示す第１の平板電極の一部を示す拡大図であり、図３（ｂ）は図２（ｂ）に示す第２の平板電極の一部を示す拡大図である。
【図４】図４（ａ）は従来のインライン型電子銃のＧ３電極及びＧ４電極の断面図であり、図４（ｂ）は図４（ａ）中の矢印Ａの方向からみたＧ３電極の正面図であり、図４（ｃ）は図４(ｂ)に示す平板電極の一部を示す拡大図である。
【符号の説明】
２１、２２  筒状電極
２３  第１の平板電極
２４  第２の平板電極
２５  第１の平板電極の中央通過孔
２６、２７  第１の平板電極の外側通過孔
２８  第２の平板電極の中央通過孔
２９、３０  第２の平板電極の外側通過孔
３１  第１の平板電極における外側通過孔の内側曲線
３２  第１の平板電極における外側通過孔の外側曲線
３３  第２の平板電極における外側通過孔の内側曲線
３２  第２の平板電極における外側通過孔の外側曲線
２１０  低電位側電極（Ｇ３電極）
２２０  高電位側電極（Ｇ４電極）
【図１】
0004209603.tif 000003
【図２】
0004209603.tif 000004
【図３】
0004209603.tif 000005
【図４】
0004209603.tif 000006